(57)【要約】【課題】意匠性に優れ、また壁に取付ける際の表示部、操作部の位置調整が不要であるエレベータ用意匠装置を得る。【解決手段】この発明に係るエレベータ表示器付操作装置は、壁３に固定される裏板５と、  この裏板５に対向して配置され、上下方向に延びた両側の端部を内側に折曲させて形成された支え部７をそれぞれ有するフェースプレート４と、一対の支え部７間に架設され、裏板５と反対側の面に、かごの情報を表示する階床表示部１１及びかごの昇降を操作する呼び釦１４，１５が搭載された基板９，１０と、フェースプレート４の上端部と裏板５との間であってフェースプレート４の投影面内に設けられ、フェースプレート４を裏板５に係合する係合手段１７，１９と、と備えている。【選択図】図４
2014201407.tif 000002
【特許請求の範囲】
【請求項１】
壁に固定される裏板と、
この裏板に対向して配置され、上下方向に延びた両側の端部を内側に折曲させて形成された支え部をそれぞれ有するフェースプレートと、
一対の前記支え部間に架設され、前記裏板と反対側の面に、かごの情報を表示する表示部及びかごの昇降を操作する操作部の少なくとも一方が搭載された基板と、
前記フェースプレートの上端部と前記裏板との間であってフェースプレートの投影面内に設けられ、フェースプレートを前記裏板に係合する係合手段と、
を備えたエレベータ用意匠装置。
【請求項２】
前記裏板は、下端部が前記フェースプレート側に折曲された折曲部を有しており、この折曲部は、前記フェースプレートの下端部に面接触して固定手段により固定されている請求項１に記載のエレベータ用意匠装置。
【請求項３】
前記端部は、それぞれ水平方向に切断したときの形状がコの字形状であって、その端部の先端片が前記支え部であり、この支え部に前記基板が空隙を介して固定されている請求項１または２に記載のエレベータ用意匠装置。
【請求項４】
前記操作部は、頭部が前記フェースプレートの前面から外部に露出している請求項１〜３の何れか１項に記載のエレベータ用意匠装置。
【請求項５】
前記フェースプレートは、上面及び下面が開口したフェースプレート本体と、前記上面を覆った上部キャップと、前記下面を覆った下部キャップと、を備え、
前記係合手段は、前記裏板の上端部に取付けられた平板状の差込み座と、前記上部キャップに形成され前記差込み座が嵌着される差込み孔とから構成されている請求項１〜４の何れか１項に記載のエレベータ用意匠装置。
【発明の詳細な説明】
【技術分野】
【０００１】
この発明は、例えば、エレベータの乗場に設けられた表示器付き操作装置であるエレベータ用意匠装置に関する。
【背景技術】
【０００２】
従来、乗場の外面に取付板を装着し、取付板の前面に基板を空隙を介して取付けたエレベータ用意匠装置である表示器付き操作装置が知られている（例えば、特許文献１参照）。
この操作装置では、基板の表面に制御部品、階床表示部、方向表示部及び操作部が設けられている。また、取付板及び基板を覆う表板には、階床表示部及び方向表示部に対応した表示窓と、操作部に対応した貫通孔が設けられている。この表板は、外側から挿通されて取付板の立壁にねじ込まれた取付ねじによって取付板に固定されている。
【先行技術文献】
【特許文献】
【０００３】
【特許文献１】特開平９-３１５７１１号公報（図１、段落番号００２０）
【発明の概要】
【発明が解決しようとする課題】
【０００４】
上記エレベータ用表示器付き操作装置では、表板は、取付板の立壁に取付ねじによって固定されていので、取付ねじの頭部が表板の上面に露出しており、意匠性が悪いという問題点があった。
また、表板を取付板に取付ける際には、表板の表示窓に階床表示部及び方向表示部を対応するように、また表板の貫通孔が操作部に対応するように位置調整をして取付けなければならず、調整に時間を要するという問題点もあった。
【０００５】
この発明は、かかる問題点を解決することを課題とするものであって、意匠性に優れ、また壁に取付ける際の表示部、操作部の位置調整が不要であるエレベータ用意匠装置を得ることを目的とする。
【課題を解決するための手段】
【０００６】
この発明に係るエレベータ用意匠装置は、
壁に固定される裏板と、
この裏板に対向して配置され、上下方向に延びた両側の端部を内側に折曲させて形成された支え部をそれぞれ有するフェースプレートと、
一対の前記支え部間に架設され、前記裏板と反対側の面に、かごの情報を表示する表示部及びかごの昇降を操作する操作部の少なくとも一方が搭載された基板と、
前記フェースプレートの上端部と前記裏板との間であってフェースプレートの投影面内に設けられ、フェースプレートを前記裏板に係合する係合手段と、
を備えている。
【発明の効果】
【０００７】
この発明に係るエレベータ用意匠装置によれば、フェースプレートを裏板に係合する係合手段は、フェースプレートの上端部と裏板との間であってフェースプレートの投影面内に設けられているので、係合手段は外部から視認されず、意匠性に優れている。
また、表示部、操作部を搭載した基板は、予めフェースプレートの支え部に固定されているので、壁に取付ける際の表示部、操作部の位置調整が不要であり、取付け作業性が向上する。
【図面の簡単な説明】
【０００８】
【図１】図１はこの発明の実施の形態１のエレベータ用表示器付き操作装置が取付けられたエレベータの乗場を示す正面図である。
【図２】図１のエレベータ用表示器付き操作装置を示す正面図である。
【図３】図２の背面図である。
【図４】図２のＩＶ-ＩＶ線に沿った矢視断面図である。
【図５】図２のＶ-Ｖ線に沿った矢視断面図である。
【図６】図２のＶＩ-ＶＩ線に沿った矢視断面図である。
【図７】図４のイの部位の斜視図である。
【発明を実施するための形態】
【０００９】
実施の形態１．
図１はこの発明の実施の形態１のエレベータ用表示器付き操作装置（以下、操作装置と略称する。）１が取付けられたエレベータの乗場を示す正面図、図２は図１の操作装置１を示す正面図、図３は図２の背面図、図４は図２のＩＶ-ＩＶ線に沿った矢視断面図、図５は図２のＶ-Ｖ線に沿った矢視断面図、図６は図２のＶＩ-ＶＩ線に沿った矢視断面図、図７は図４のイの部位の斜視図である。
エレベータ用意匠装置である操作装置１は、乗場の出入口の戸２の片側の壁３の表面に固定されている。
この操作装置１は、縦長の矩形状をしたフェースプレート４の裏側に、壁３にアンカーボルト６で固定された裏板５がフェースプレート４と対向して設けられている。フェースプレート４の横幅は、裏板５の横幅よりも大きい。
【００１０】
このフェースプレート４は、フェースプレート本体２２と、この上面に設けられた上部キャップ１６と、フェースプレート本体２２の下面に設けられた下部キャップ２０と、から構成されている。
フェースプレート本体２２は、図５及び図６から分かるように、上下方向に延びた両側の端部が内側にそれぞれコの字形状に折曲されており、その先端片である支え部７が裏板５と対向している。
フェースプレート本体２２の上側には、両支え部７間に架設された表示用基板９が低頭ネジ８により支え部７に空隙を介して固定されている。この低頭ネジ８は、フェースプレート４の外側から挿通されて支え部７に表示用基板９を締結している。
表示用基板９には、エレベータの現在のかご（図示せず）の階床を表示する階床表示部１１及びかごの運転方向を表示する方向表示部１２が搭載されている。フェースプレート本体２２の前面には、階床表示部１１及び方向表示部１２と対向して窓部が形成されており、この窓部に矩形状をした表示板１３が嵌着されている。
【００１１】
フェースプレート本体２２の下側には、両支え部７間にわたって延びた操作用基板１０が低頭ネジ８により支え部７に空隙を介して固定されている。この低頭ネジ８は、フェースプレート４の外側から挿通されて支え部７に操作用基板１０を締結している。
操作用基板１０には、かごの昇降を操作する操作部である、上昇呼び釦１４及び下降呼び釦１５が搭載されている。この上昇呼び釦１４及び下降呼び釦１５は、それぞれの頭部がフェースプレート本体２２の前面から露出している。
【００１２】
フェースプレート本体２２は、上面が開口しており、この開口した上面は、差込み孔１７が形成された上部キャップ１６で塞がれている。この差込み孔１７には、図７に示すように、裏板５の上部にネジ１８で固定された矩形状の差込み座１９が挿入されて、フェースプレート４は、裏板５に取付けられる。
被係合部である差込み孔１７及び係合部である差込み座１９は、フェースプレート４を裏板５に係合する係合手段を構成している。フェースプレート４の上端部と裏板５との間に設けられた、この係合手段は、フェースプレート４の投影面内に設けられている。
フェースプレート本体２２は、下面が開口しており、この開口した下面は、下部キャップ２０で塞がれている。この下部キャップ２０は、裏板５の下端部の直角に折曲された折曲部２１で低頭ネジ８により締結されている。
なお、図３の符号２３は、階床表示部１１、方向表示部１２、上昇呼び釦１４及び下降呼び釦１５から導出される配線の孔である。
【００１３】
この実施の形態の操作装置１によれば、フェースプレート４を裏板５に係合する係合手段である、差込み孔１７及び差込み座１９は、フェースプレート４の上端部と裏板５との間であってフェースプレート４の投影面内に設けられているので、係合手段は外部から視認されず、意匠性が優れている。
また、階床表示部１１、方向表示部１２を搭載した表示用基板９、上昇呼び釦１４及び下降呼び釦１５を搭載した操作用基板１０は、予めフェースプレート４の支え部７に固定されている。
従って、壁３に操作装置１を取付ける際の階床表示部１１、方向表示部１２、上昇呼び釦１４及び下降呼び釦１５のフェースプレート４に対する位置調整が不要であり、取付け作業性が向上する。
また、操作装置１を壁３に取付ける際に、フェースプレート４の前面から上昇呼び釦１４及び下降呼び釦１５の頭部を外部に露出させる必要性がないので、その際の上昇呼び釦１４及び下降呼び釦１５の破損も生じない。
【００１４】
また、裏板５は、下端部がフェースプレート４側に折曲された折曲部２１を有しており、この折曲部２１は、フェースプレート４の下端部に面接触して固定手段である低頭ネジ８により固定されているので、フェースプレート４は、裏板５に簡単、確実に固定される。
【００１５】
また、フェースプレート本体２２の端部は、それぞれ水平方向に切断したときの形状がコの字形状であるので、フェースプレート本体２２は剛性が確保され、板厚を薄くして軽量化を図ることができる。
【００１６】
また、フェースプレート４は、上面及び下面が開口したフェースプレート本体２２と、その上面を覆った上部キャップ１６と、その下面を覆った下部キャップ２０と、を備え、
係合手段は、裏板５の上端部に取付けられた平板状の差込み座１９と、上部キャップ１６に形成され差込み座１９が嵌着される差込み孔１７とから構成されているので、簡単な構成で、かつ安定して裏板５にフェースプレート４が係合される。
【００１７】
なお、上記実施の形態では、エレベータ用意匠装置として、かごの情報を表示する表示部、かごの昇降を操作する操作部を共に備えた、エレベータ用表示器付き操作装置について説明したが、表示部または操作部の何れか一方を備えたエレベータ用意匠装置であっても、この発明は適用できる。
また、係合手段として、差込み孔１７に嵌着された差込み座１９について説明したが、この例は一例であり、例えば裏板から突出した複数の突出棒をフェースプレートの孔に挿入したものであってもよい。
【符号の説明】
【００１８】
１  エレベータ表示器付操作装置（エレベータ用意匠装置）、２  戸、３  壁、４  フェースプレート、５  裏板、６  アンカーボルト、７  支え部、８  低頭ネジ（固定手段）、９  表示用基板、１０  操作用基板、１１  階床表示部（表示部）、１２  方向表示部（表示部）、１３  表示板、１４  上昇呼び釦（操作部）、１５  下降呼び釦（操作部）、１６  上部キャップ、１７  差込み孔（被係合部）、１８  ネジ、１９  差込み座（係合部）、２０  下部キャップ、２１  折曲部、２２  フェースプレート本体、２３  孔。
【図１】
2014201407.tif 000003
【図２】
2014201407.tif 000004
【図３】
2014201407.tif 000005
【図４】
2014201407.tif 000006
【図５】
2014201407.tif 000007
【図６】
2014201407.tif 000008
【図７】
2014201407.tif 000009